(57)【特許請求の範囲】
【請求項１】
分割防水パンの連結固定部に、ポンプの設置位置決め用の位置出し部材を取り付け、該位置出し部材にポンプ架台を連結し、該ポンプ架台上にポンプを設置したことを特徴とする気泡浴槽用ポンプの設置構造。
【請求項２】
前記位置出し部材は、前記分割防水パンの連結固定部に着脱可能に引っ掛け可能な引っ掛け片を備えていることを特徴とする請求項１に記載の気泡浴槽用ポンプの設置構造。
【請求項３】
前記位置出し部材は、前記分割防水パンの連結固定部の連結ボルトにナットを締め付けて固定される構造である請求項１に記載の気泡浴槽用ポンプの設置構造。
【請求項４】
前記位置出し部材には、ゴム足が挿入可能な複数の孔が間隔をおいて開口され、前記ポンプ架台に取り付けたゴム足を前記何れかの孔を選択して挿入し、位置出し部材に対するポンプ架台の連結位置を変更可能に構成されていることを特徴とする請求項１に記載の気泡浴槽用ポンプの設置構造。
【請求項５】
前記ポンプ架台には、前記位置出し部材に連結される端部とは反対側の端部に、ゴム足を備えた高さ調節用の高さ調節金具が設けられ、該高さ調節金具を介しポンプ架台は水平状に設置可能に構成されていることを特徴とする請求項４に記載の気泡浴槽用ポンプの設置構造。
【請求項６】
前記ポンプ架台を前記位置出し部材に着脱可能に引っ掛け固定したことを特徴とする請求項１に記載の気泡浴槽用ポンプの設置構造。
【発明の詳細な説明】
【０００１】
【産業上の利用分野】
この発明は、気泡浴槽用ポンプの設置構造に関するものである。
【０００２】
【従来の技術及びその課題】
従来、図６に示すように、気泡浴槽５２の側壁に設けられた噴射吸水口部５３，５３にはホース５４が連結され、このホース５４の端部は循環ポンプ５５に連結されて、循環ポンプ５５により気泡浴槽５２内の湯を循環させて、吸気口部５７から空気管５８を介して空気を導入させ、気泡を混入させて、湯を浴槽５２内に噴出できるものとなっており、従来、防水パン５１上に気泡浴槽５２を設置する場合、循環ポンプ５５を気泡浴槽５２に取り付けると、浴槽５２の内寸を大きくできないため、循環ポンプ５５は浴槽５２から離して防水パン５１上に設置する必要がある。但し、防水パン５１上に置いただけでは、循環ポンプ５５が振動してホース５４に撓みが生じ、また騒音が発生することとなる。かと言って、循環ポンプ５５をネジ等を用いて防水パン５１に固定すると、防水パン５１が漏水することとなるため、架台５６に循環ポンプ５５を載せて、架台５６から足を垂下させて防水パン５１上に設置することが考えられるが、垂下された足に髪の毛等が絡み付いたりして、防水パン５１の掃除がしにくくなるという問題点が発生する。また、従来では、循環ポンプ５５が設置固定されてしまうと、その後に給水配管工事等ができなくなってしまうという問題点があった。
【０００３】
【課題を解決するための手段】
本発明は上記従来の問題点に鑑み案出したものであって、防水パンに漏水が生ずることなく、正確な位置にポンプを騒音を防止して設置することができ、また、設置した後にも取り外しが容易となる気泡浴槽用ポンプの設置構造を提供せんことを目的とし、その第１の要旨は、分割防水パンの連結固定部に、ポンプの設置位置決め用の位置出し部材を取り付け、該位置出し部材にポンプ架台を連結し、該ポンプ架台上にポンプを設置したことである。
また、第２の要旨は、前記位置出し部材は、前記分割防水パンの連結固定部に着脱可能に引っ掛け可能な引っ掛け片を備えていることである。
また、第３の要旨は、前記位置出し部材は、前記分割防水パンの連結固定部の連結ボルトにナットを締め付けて固定される構造であることである。
また、第４の要旨は、前記位置出し部材には、ゴム足が挿入可能な複数の孔が間隔をおいて開口され、前記ポンプ架台に取り付けたゴム足を前記何れかの孔を選択して挿入し、位置出し部材に対するポンプ架台の連結位置を変更可能に構成されていることである。
また、第５の要旨は、前記ポンプ架台には、前記位置出し部材に連結される端部とは反対側の端部に、ゴム足を備えた高さ調節用の高さ調節金具が設けられ、該高さ調節金具を介しポンプ架台は水平状に設置可能に構成されていることである。
また、第６の要旨は、前記ポンプ架台を前記位置出し部材に着脱可能に引っ掛け固定したことである。
【０００４】
【実施例】
以下、本発明の実施例を図面に基づいて説明する。
図１は、第１実施例を示し、また図２は、図１の設置構造の要部側面構成図である。
【０００５】
前述した気泡浴槽用の循環ポンプを防水パンに設置するに際し、本例では、位置出し部材６と、ポンプ架台１５が用いられるものであり、また、防水パンは、浴槽側と洗い場側が別々に形成されて、互いに連結固定部Ｐで連結される分割防水パンで構成されている。
即ち、気泡浴槽を設置する浴槽側防水パン１の、底面１ａの先端側には一体状に立ち上げて水切片部１ｂが形成され、この水切片部１ｂの上端で水平に突出して水平連結片部１ｃが形成されており、一方、洗い場側防水パン２の端部には、立ち上げ状に段部２ａが形成され、段部２ａの上端に水平に突出する水平連結片部２ｂが形成されており、浴槽側防水パン１の水平連結片部１ｃ上に、洗い場側防水パン２の水平連結片部２ｂを重ね合わせ、連結ボルトで連結するものであり、連結ボルト３を水平連結片部２ｂ上に突出させ、連結ボルト３に袋ナット４を螺合させて、袋ナット４，４を、水平連結片部２ｂ上の２ヵ所に間隔をおいて突出させておく。
【０００６】
この突出させた袋ナット４，４に、位置出し部材６を着脱可能に引っ掛け状に取り付けることができ、位置出し部材６は、水平状の左載置片６ａと右載置片６ｂから、それぞれ垂下状に断面略コの字状の引っ掛け片７ａ，７ｂが一体形成されており、この引っ掛け片７ａ，７ｂを、それぞれ袋ナット４，４に被せ状に引っ掛けることができるように構成されている。
前記左載置片６ａ，右載置片６ｂからは、連続して下方へ向かって垂下片８が折曲形成されており、垂下片８の中央部には、前記浴槽側防水パン１の水切片部１ｂに当接させる当接片８ａが突出形成されたものとなっている。
【０００７】
また、垂下片８の下端から水平状に折曲されて水平片９が一体形成されており、この水平片９には、間隔をおいて複数の孔１０，１１，１２が上下に貫通状に開口されている。即ち、小型の気泡浴槽５２を設置する際に、ポンプ架台１５を連結するための小浴槽用孔１０と、中型の気泡浴槽用の中浴槽用孔１１と、大型の気泡浴槽用孔１２がそれぞれ開口形成されており、この位置出し部材６は、左右対称形状に形成されて、反転させて現場に対応させて使用できるように構成されている。
【０００８】
また、ポンプ架台１５は、水平状をなし上面に循環ポンプ２０を設置することのできる基板１５ａの側縁側に、立ち上げ状に側枠片１５ｂ，１５ｂが折曲形成され、一端側にはゴム足１６，１６が取り付けられ、このゴム足１６の上端に突出した軸部１６ａを基板１５ａに差し込んで着脱可能にゴム足１６は取り付けられたものとなっており、このゴム足１６，１６は、前述した位置出し部材６の何れかの孔１０，１１，１２に上方より挿入できるように構成されている。
【０００９】
また、基板１５ａには差込孔１５ｄ，１５ｄが開口されており、他端側には垂下状に垂下片１５ｃが一体形成されたものとなっている。この垂下片１５ｃには高さ調節金具１８がネジ止めされており、この高さ調節金具１８は、長さの長い水平片１８ａと、長さの短い垂直片１８ｂでＬ字状に構成されており、図１では、水平片１８ａの下面にゴム足１６，１６が取り付けられたものとなっている。
【００１０】
この高さ調節金具１８は、前記浴槽側防水パン１から一体状に立ち上げ形成された点検口を形成する立上部１ｄの上面に覆設された点検口蓋５上にゴム足１６を当接させて設置した時に、ポンプ架台１５の基板１５ａを水平状に設置できるように構成され、垂下片１５ｃに対して高さ調節金具１８の垂直片１８ｂをネジ止めして固定した状態では、立上部１ｄの高さが高く、点検口５の位置が高い時に適用できるものであり、一方、後述するように、垂下片１５ｃに対し水平片１８ａをネジ止め固定した時には、垂直片１８ｂ側にゴム足１６を取り付けて、高さの低い立上部１ｄに対応させることができるように構成されている。
【００１１】
なお、図１の場合は、防水パン上に小型の気泡浴槽を設置する場合であり、この場合は小浴槽用孔１０が選択されて、この小浴槽用孔１０内に、ポンプ架台１５のゴム足１６，１６が挿入され、これによりポンプ架台１５が位置出し部材６に連結され、点検口蓋５上に高さ調節金具１８のゴム足１６が当接して、ポンプ架台１５は水平状に設置され、この上に循環ポンプ２０が設置されるものである。
【００１２】
このように防水パンの連結固定部Ｐを用いて、正確な位置に位置出し部材６を着脱可能に取り付け、この位置出し部材６に対し着脱可能にポンプ架台１５を連結して、良好な位置に循環ポンプ２０を設置することができ、ゴム足１６を介して循環ポンプ２０の振動が防止され、騒音の発生が防止されるものとなり、循環ポンプ２０の設置が容易なものとなる。
【００１３】
また、防水パン上に設置する浴槽の寸法に応じて、位置出し部材６に対するポンプ架台１５の連結位置を変更させることができ、浴槽の寸法に対応させて容易に施工することができるものとなる。また、立ち上げ形成された点検口上に設置されるものであり、水は底面１ａを通って流れるため、髪の毛等が引っ掛かることもなく、汚れが少ないものとなる。また、循環ポンプ２０の設置後に、給水配管工事等を行う際には、容易にポンプ架台１５及び位置出し部材６を取り外すことができ、後工事も容易なものとなる。
【００１４】
次に、図３は第２実施例を示すものであり、図３では、前記位置出し部材６の左右の載置片６ａ，６ｂに、それぞれネジ孔６ｃ，６ｃを貫通形成させ、引っ掛け片７ａ，７ｂ及び当接片８ａを省略して、より単純な形状の位置出し部材６が用いられており、一方のポンプ架台１５は、前記図１のものと同様なものが使用されるものである。
【００１５】
本例では、防水パンの連結固定部Ｐから連結ボルト３の上端を突出させておき、この突出した連結ボルト３に対し、位置出し部材６のネジ孔６ｃ，６ｃを嵌め込んで、位置出し部材６を位置決めして取り付けることができ、その状態で、連結ボルト３に対し上方より袋ナット４を締め付け、袋ナット４の締め付けにより位置出し部材６を防水パンの連結固定部Ｐ上に強固に固定させるものであり、この位置出し部材６を固定させた後に、ポンプ架台１５のゴム足１６を、何れかの孔１０，１１，１２を選択して挿入し、ポンプ架台１５を連結するものである。この構造では、位置出し部材６が強固に固定されるため、確実な位置出しが可能となる。
【００１６】
次に、図４の第３実施例においては、前記図３と同様な位置出し部材６が用いられ、位置出し部材６は防水パンの連結固定部Ｐ上に設置されるものであり、図４では、浴槽側防水パン１に一体状に立ち上げ形成された点検口を形成する立上部１ｄの高さが低く、その上面に覆設される点検口蓋５の高さ位置が低い場合であり、この場合は前述した如く、ポンプ架台１５の端部に取り付けられた高さ調節金具１８の取り付け具合を変更させて高さを調節し、ポンプ架台１５の基板１５ａが水平になるように設置するのである。即ち、高さ調節金具１８の寸法の長い水平片１８ａをポンプ架台１５の垂下片１５ｃにネジ止めして、高さ調節金具１８の垂直片１８ｂ側へゴム足１６を付け変えて、高さ調節金具１８のゴム足１６を低い位置に設定するものである。
このように点検口が低い場合には、現場で良好に対応して高さ調節金具１８を介し高さ調節を行い、ポンプ架台１５を水平状に設置して、良好に循環ポンプ２０をポンプ架台１５上に設置することができるものである。
【００１７】
次に、図５は第４実施例を示すものであり、図５では、半身浴浴槽を防水パン上に設置する場合の循環ポンプの設置構造を示すものであり、位置出し部材６は防水パンの連結固定部Ｐ上に固定できる形態のものが使用されており、ポンプ架台１５の高さ調節金具１８は、点検口蓋５の位置が低いために、低い位置に設定されており、さらにポンプ架台１５の基板１５ａ上に、嵩上げ部材２３が取り付けられて、この嵩上げ部材２３上に循環ポンプ２０が設置されるものであり、嵩上げ部材２３は、循環ポンプ２０が載る載置片２３ａの両端側から垂下状に垂直片２３ｂ，２３ｂが折曲形成され、垂直片２３ｂ，２３ｂの下端には、水平方向に折り曲げて当接片２３ｃ，２３ｃが形成され、さらに当接片２３ｃから垂下状に折り曲げて差込片２３ｄ，２３ｄが一体形成されたものとなっており、この差込片２３ｄ，２３ｄは、ポンプ架台１５の基板１５ａに形成されている差込孔１５ｄ，１５ｄ内に差し込んで、嵩上げ部材２３をポンプ架台１５上に固定できるように構成されている。
半身浴浴槽を防水パン上に設置する場合には、循環ポンプ２０を高い位置に設置する必要があるため、このような嵩上げ部材２３を用いるのである。
【００１８】
【発明の効果】
本発明の気泡浴槽用ポンプの設置構造は、分割防水パンの連結固定部に、ポンプの設置位置決め用の位置出し部材を取り付け、該位置出し部材にポンプ架台を連結し、該ポンプ架台上にポンプを設置したことにより、分割防水パンの連結固定部を用いて正確な位置に位置出し部材を設置し、ポンプを正確な位置に設置することができるものとなる。
【００１９】
また、前記位置出し部材は、前記分割防水パンの連結固定部に着脱可能に引っ掛け可能な引っ掛け片を備えていることにより、位置出し部材を、引っ掛け片を介して容易に引っ掛け状に位置決めすることができるものとなり、施工が容易なものとなる。
【００２０】
また、前記位置出し部材は、前記分割防水パンの連結固定部の連結ボルトにナットを締め付けて固定される構造であることにより、位置出し部材を強固に位置決め固定することができるものとなる。
【００２１】
また、前記位置出し部材には、ゴム足が挿入可能な複数の孔が間隔をおいて開口され、前記ポンプ架台に取り付けたゴム足を前記何れかの孔を選択して挿入し、位置出し部材に対するポンプ架台の連結位置を変更可能に構成されていることにより、ポンプ架台のゴム足を位置出し部材側の孔を選択して挿入でき、位置出し部材に対しポンプ架台の連結位置を容易に変更させることが可能となる。
【００２２】
また、前記ポンプ架台には、前記位置出し部材に連結される端部とは反対側の端部に、ゴム足を備えた高さ調節用の高さ調節金具が設けられ、該高さ調節金具を介しポンプ架台は水平状に設置可能に構成されていることにより、現場の状況に応じ、適宜高さ調節金具により高さ調節して、ポンプ架台を水平状に設置し、ポンプを傾斜することなく水平に良好に設置することができるものとなる。
【００２３】
また、前記ポンプ架台を前記位置出し部材に着脱可能に引っ掛け固定したことにより、ポンプ架台を容易に着脱することができるため、ポンプの設置後に給水配管工事等を行い際にも、容易に取り外すことが可能となる。
【図面の簡単な説明】
【図１】第１実施例のポンプの設置構造を示す分解斜視構成図である。
【図２】設置状態の要部側面構成図である。
【図３】第２実施例のポンプの設置構造の分解斜視図である。
【図４】第３実施例の設置構造の分解斜視図である。
【図５】第４実施例の設置構造の分解斜視図である。
【図６】従来の気泡浴槽用の循環ポンプの設置状態の斜視構成図である。
【符号の説明】
５２  気泡浴槽
５４  ホース
１  浴槽側防水パン
１ａ  底面
１ｂ  水切片部
１ｃ  水平連結片部
１ｄ  立上部
２  洗い場側防水パン
２ｂ  水平連結片部
３  連結ボルト
４  袋ナット
５  点検口蓋
６  位置出し部材
６ａ，６ｂ  載置片
７ａ，７ｂ  引っ掛け片
８  垂下片
８ａ  当接片
９  水平片
１０  小浴槽用孔
１１  中浴槽用孔
１２  大浴槽用孔
１５  ポンプ架台
１５ａ  基板
１５ｂ  側枠片
１５ｃ  垂下片
１５ｄ  差込孔
１６  ゴム足
１６ａ  軸部
１８  高さ調節金具
１８ａ  水平片
１８ｂ  垂直片
２０  循環ポンプ
２３  嵩上げ部材
２３ａ  載置片
２３ｃ  当接片
２３ｄ  差込片
Ｐ  連結固定部
【図１】
0003608073.tif 000002
【図２】
0003608073.tif 000003
【図３】
0003608073.tif 000004
【図４】
0003608073.tif 000005
【図５】
0003608073.tif 000006
【図６】
0003608073.tif 000007